(57)【要約】【課題】ＴＤＭＡ／ＴＤＤ方式の無線システムに適した無線中継システムの構成を提供することを目的とする。また、呼制御の簡易化を計ることを目的とする。また、それぞれの呼制御を分離し、中継局における前・後段のスロット配置等を自由に配置可能とすることを目的とする。【解決手段】移動体通信装置と基地局装置とを中継する中継局無線装置１００において、移動体通信装置との間で所定のデータを無線通信するスレーブ局側無線装置１０２と、上記スレーブ局側無線装置１０２により無線通信された所定のデータを入力し、入力された所定のデータを基地局装置との間で、上記スレーブ局側無線装置１０２とは独立して無線通信するマスタ局側無線装置１０１とを備えたことを特徴とする。【選択図】        図１
2004229242.tif 000002
【特許請求の範囲】
【請求項１】
移動体通信装置と基地局装置とを中継する中継装置において、
移動体通信装置との間で所定のデータを無線通信する第１の無線通信部と、
上記第１の無線通信部により無線通信された所定のデータを入力し、入力された所定のデータを基地局装置との間で、上記第１の無線通信部とは独立して無線通信する第２の無線通信部と
を備えたことを特徴とする中継装置。
【請求項２】
上記第１の無線通信部は、ＴＤＭＡ／ＴＤＤ（Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘ）方式を用いて上記移動体通信装置との間で所定のデータを無線通信し、
上記第２の無線通信部は、ＴＤＭＡ／ＴＤＤ（Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘ）方式を用いて上記基地局装置との間で所定のデータを無線通信することを特徴とする請求項１記載の中継装置。
【請求項３】
上記第１の無線通信部は、上記第２の無線通信部とは別の周波数を用いて上記移動体通信装置との間で所定のデータを無線通信することを特徴とする請求項１記載の中継装置。
【請求項４】
上記第１，２の無線通信部は、上記第１，２の無線通信部の内、相手側の無線通信部とは別の呼制御をおこなう制御部をそれぞれ有することを特徴とする請求項１記載の中継装置。
【請求項５】
上記ＴＤＭＡ／ＴＤＤ方式は、スロット割り当てをおこなうことにより通信をおこない、
上記第１の無線通信部は、上記第２の無線通信部とは独立して割り当てられたスロットを用いて上記移動体通信装置との間で所定のデータを無線通信することを特徴とする請求項２記載の中継装置。
【請求項６】
上記第１の無線通信部は、上記第２の無線通信部により無線通信された所定のデータを入力し、入力された所定のデータを移動体通信装置との間で無線通信し、
上記第１，２の無線通信部は、共に、
無線通信する所定のデータを受信する受信部と、
無線通信する所定のデータを送信する送信部と、
上記受信部により受信された所定のデータを復調し、上記送信部により送信されるための所定のデータを変調する変復調部と、
上記変復調部により復調された所定のデータを入力し、入力された所定のデータを上記第１，２の無線通信部の内、相手側の無線通信部とインターフェースを取りながら相手側の無線通信部に出力し、上記相手側の無線通信部から相手側の変復調部により変調された所定のデータを上記相手側の無線通信部とインターフェースを取りながら入力し、入力された所定のデータを自己の上記変復調部に出力するインターフェース部と
をそれぞれ有することを特徴とする請求項１記載の中継装置。
【請求項７】
移動体通信装置と基地局装置とを中継する中継装置において、
移動体通信装置との間で所定のデータを無線通信する複数の第１の無線通信部と、
上記複数の第１の無線通信部の各第１の無線通信部により無線通信された所定のデータを入力し、入力された所定のデータを基地局装置との間で、上記複数の第１の無線通信部の各第１の無線通信部とは独立して無線通信する第２の無線通信部と
を備えたことを特徴とする中継装置。
【請求項８】
上記複数の第１の無線通信部は、並列に配置され、
上記第２の無線通信部は、上記並列に配置された複数の第１の無線通信部の各第１の無線通信部から所定のデータを入力することを特徴とする請求項７記載の中継装置。
【請求項９】
移動体通信装置と基地局装置とを中継する中継装置がおこなう中継方法において、
第１の無線通信部が移動体通信装置との間で所定のデータを無線通信する第１の無線通信工程と、
第２の無線通信部が上記第１の無線通信工程により無線通信された所定のデータを入力し、第２の無線通信部が入力された所定のデータを基地局装置との間で、上記第１の無線通信工程とは独立して無線通信する第２の無線通信工程と
を備えたことを特徴とする中継方法。
【請求項１０】
移動体通信装置と基地局装置とを中継する中継装置がおこなう中継方法において、
複数の第１の無線通信部の各第１の無線通信部が移動体通信装置との間で所定のデータを無線通信する複数の第１の無線通信工程と、
第２の無線通信部が上記複数の第１の無線通信工程の各第１の無線通信工程により無線通信された所定のデータを入力し、第２の無線通信部が入力された所定のデータを基地局装置との間で、上記複数の第１の無線通信工程の各第１の無線通信工程とは独立して無線通信する第２の無線通信工程と
を備えたことを特徴とする中継方法。
【発明の詳細な説明】
【０００１】
【発明の属する技術分野】
本発明は、中継装置及び中継方法に関する。特に、ＴＤＭＡ／ＴＤＤ（Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘ）方式の無線システムにおける中継無線装置及び、中継方法に関するものである。
【０００２】
【従来の技術】
従来のＴＤＭＡ／ＴＤＤ中継局無線装置は、その代表的な例としてコードレス電話システム（ＰＨＳ（登録商標）：Ｐｅｒｓｏｎａｌ  ＨａｎｄｙｐｈｏｎｅＳｙｓｔｅｍ）において、１つの無線装置を用いて、１つの無線装置中のアンテナスイッチの切替によって中継動作を行っていた。（例えば、特許文献１参照）
【０００３】
【特許文献１】
特開２０００−１６５９３７号公報
【特許文献２】
特開２０００−１３４１４３号公報
【特許文献３】
特開平１０−２５７００９号公報
【０００４】
【発明が解決しようとする課題】
前述したように、従来の中継局構成では、１つの無線装置によって、中継を行うので、上り下りの信号の制御が絡み合う。その結果、自由なスロット配置が出来ず、同時に２台の、無線機との中継を行えないという問題があった。
【０００５】
また、同周波数を使用するに際し、中継前・後段の各無線装置との干渉が問題となった。
【０００６】
また、中継局を含めた、各無線装置の同期方法では、上位との従属同期が前提である為、その精度が末端まで求められた。
【０００７】
本発明は、ＴＤＭＡ／ＴＤＤ方式の無線システムに適した無線中継システムの構成を提供することを目的とする。
【０００８】
本発明は、中継局無線装置を、基地局側と、中継側とを別の無線装置の構成にする事により、呼制御の簡易化を計ることを目的とする。
【０００９】
また、中継局の構成を複数とする事で、それぞれの呼制御を分離し、中継局における前・後段を無線装置として分離する構成をとり、前・後段のスロット配置等を自由に配置可能とすることを目的とする。
【００１０】
また、中継局の構成を複数構成とする事で、それぞれに周波数を割当てる事により、互いの干渉を抑える事を可能とすることを目的とする。
【００１１】
また、同期方法も、基地局側を従属同期としつつも、中継側は、中継局無線装置を基準とした再従属同期とする事を可能とし、それぞれの従属の為の発振器の精度を抑える事を可能とすることを目的とする。
【００１２】
また、無線機と無線通信する中継側を複数並列に配置する事により、１対１の中継ではなく、１対Ｎの中継を実現することを目的とする。
【００１３】
【課題を解決するための手段】
この発明に係る中継装置は、移動体通信装置と基地局装置とを中継する中継装置において、
移動体通信装置との間で所定のデータを無線通信する第１の無線通信部と、
上記第１の無線通信部により無線通信された所定のデータを入力し、入力された所定のデータを基地局装置との間で、上記第１の無線通信部とは独立して無線通信する第２の無線通信部と
を備えたことを特徴とする。
【００１４】
【発明の実施の形態】
実施の形態１．
図１は、実施の形態１における中継局無線装置の構成例を示す図である。
図１において、中継局無線装置１００（中継装置の一例である）は、マスタ局側無線装置１０１、スレーブ局側無線装置１０２を備えている。マスタ局側無線装置１０１は、基本となる基地局側中継局無線装置であり、マスタとする。スレーブ局側無線装置１０２は、マスタ局側無線装置１０１に接続される、中継する側の中継局無線装置であり、上記マスタに対するスレーブである。
【００１５】
マスタ局側となる基地局装置は、前段の基地局側中継局無線装置であるマスタ局側無線装置１０１と無線区間で接続されており、またスレーブ局側となる移動局である移動体通信装置は、後段の中継局無線装置であるスレーブ局側無線装置１０２と接続されている。ここで、移動体通信装置としては、例えば、携帯電話、ＰＨＳ（登録商標）等が挙げられる。
【００１６】
中継局無線装置１００は、移動体通信装置と基地局装置とを中継する。
第１の無線通信部の一例として、スレーブ局側無線装置１０２は、移動体通信装置との間で所定のデータを無線通信する。上記スレーブ局側無線装置１０２は、上記マスタ局側無線装置１０１により無線通信された所定のデータを入力し、入力された所定のデータを移動体通信装置との間で無線通信する。スレーブ局側無線装置１０２部は、ＴＤＭＡ／ＴＤＤ方式を用いて上記移動体通信装置との間で所定のデータを無線通信する。ここで、所定のデータは、通話や音楽などの音声データ、画像データ等が一例として挙げられる。
第２の無線通信部の一例として、マスタ局側無線装置１０１は、上記第１の無線通信部の一例としてのスレーブ局側無線装置１０２により無線通信された所定のデータを入力し、入力された所定のデータを基地局装置との間で、上記第１の無線通信部の一例としてのスレーブ局側無線装置１０２とは独立して無線通信する。マスタ局側無線装置１０１は、同様に、ＴＤＭＡ／ＴＤＤ方式を用いて上記基地局装置との間で所定のデータを無線通信する。
以上のように、本実施の形態では、ＴＤＭＡ／ＴＤＤ方式の無線装置における、中継局の構成において、基準となる基地局側との送受信を行うマスタ局、当該マスタ局から見て中継する側をスレーブ局とし、それぞれ別の無線装置を割当てた複数局構成とする無線装置構成とした。
【００１７】
この構成により、例えばマスタ局側は、システム的には、前段の無線装置であるマスタ局側無線装置１０１と、あたかもスレーブ局側が無いように、独自に動作可能である。また、スレーブ局側も後段の中継局無線装置であるスレーブ局側無線装置１０２と、システム的には、あたかも前段のマスタ局となる基地局が無いような動作が可能となる。
【００１８】
例えば呼制御などの無線区間制御に関しても、マスタ局側となる基地局と無線通信するマスタ局側無線装置１０１と、スレーブ局側となる移動体通信装置と無線通信するスレーブ局側無線装置１０２とがそれぞれが独自に動作する事が可能となり、中継局無線装置として簡易な制御が可能となる。
【００１９】
また、スロット構成についても、マスタ局側、スレーブ局側で別々の無線区間となるので、スロット構成も当然別のものとなり、従来のＴＤＤ中継局で必要であった、前段・後段のスロット干渉を無くす為のスロット配置も配慮せずにすむ。また、スロットの有効利用が可能となる。
【００２０】
図２は、実施の形態１における中継局無線装置の内部構成例を示す図である。
図２において、マスタ局側無線装置１０１は、中継Ｉ／Ｆ（インターフェース）部２１３、切り換えスイッチ２１４、受信機２１５（受信部の一例である）、送信機２１６（送信部の一例である）、変復調部２１７、制御部２１８、アンテナ２１９を有している。同様に、スレーブ局側無線装置１０２は、中継Ｉ／Ｆ部２２３、切り換えスイッチ２２４、受信機２２５（受信部の一例である）、送信機２２６（送信部の一例である）、変復調部２２７、制御部２２８、アンテナ２２９を有している。インターフェース信号２０１は、マスタ局側無線装置１０１／スレーブ局側無線装置１０２間のインターフェース信号を表している。中継Ｉ／Ｆ部２１３、中継Ｉ／Ｆ部２２３は、本中継局無線装置のマスタ局／スレーブ局を接続するインターフェースを実現している。
【００２１】
制御部２１８，２２８は、上記第１，２の無線通信部の一例であるマスタ局側無線装置１０１、スレーブ局側無線装置１０２の内、相手側の無線通信部とは別の呼制御をおこなう。制御部２１８，２２８は、それぞれ、タイミング制御、無線機制御をおこなう。
受信部の一例として、受信機２１５，２２５は、無線通信する所定のデータを受信する。
送信部の一例として、送信機２１６，２２６は、無線通信する所定のデータを送信する。
変復調部２１７は、上記受信機２１５により受信された所定のデータを復調し、上記送信機２１６により送信されるための所定のデータを変調する。変復調部２２７は、上記受信機２２５により受信された所定のデータを復調し、上記送信機２２６により送信されるための所定のデータを変調する。
インターフェース部の一例として、中継Ｉ／Ｆ部２１３は、上記変復調部２１７により復調された所定のデータを入力し、入力された所定のデータを上記第１，２の無線通信部の内、相手側の無線通信部となるスレーブ局側無線装置１０２とインターフェースを取りながら相手側の無線通信部となるスレーブ局側無線装置１０２に出力し、上記相手側の無線通信部となるスレーブ局側無線装置１０２から相手側の変復調部２２７により変調された所定のデータを上記相手側の無線通信部となるスレーブ局側無線装置１０２とインターフェースを取りながら入力し、入力された所定のデータを自己の上記変復調部２１７に出力する。同様に、インターフェース部の一例として、中継Ｉ／Ｆ部２２３は、上記変復調部２２７により復調された所定のデータを入力し、入力された所定のデータを上記第１，２の無線通信部の内、相手側の無線通信部となるマスタ局側無線装置１０１とインターフェースを取りながら相手側の無線通信部となるマスタ局側無線装置１０１に出力し、上記相手側の無線通信部となるマスタ局側無線装置１０１から相手側の変復調部２１７により変調された所定のデータを上記相手側の無線通信部となるマスタ局側無線装置１０１とインターフェースを取りながら入力し、入力された所定のデータを自己の上記変復調部２２７に出力する。
【００２２】
本実施の形態では、複数局構成の無線機間にインターフェース装置を用い、無線機間の信号の送受信を行う構成とした。
このようなインターフェースを取る事により、従来の中継局構成とは違い、マスタ局側無線装置１０１／スレーブ局側無線装置１０２は、それぞれ、中継局無線装置ではなくあたかも１つの他の無線装置と同様の構成をとる事が可能となる。
【００２３】
図３は、実施の形態１における中継局無線装置の無線周波数配置例を示す図である。
図３において、マスタ局側無線装置１０１は、マスタ局側無線周波数３０１であるｆ１を用い、スレーブ局側無線装置１０２はスレーブ局側無線周波数３０２であるｆ２を用いている。
上記第１の無線通信部の一例としてのスレーブ局側無線装置１０２は、上記第２の無線通信部の一例としてのマスタ局側無線装置１０１とは別の周波数ｆ２を用いて上記移動体通信装置との間で所定のデータを無線通信する。
【００２４】
本実施の形態では、複数局で構成する中継局において、それぞれの無線機に別周波数を割当て、互いの無線干渉を無くすと共に、自由なスロット割当てを行う事が可能となる構成とした。
この別周波数を設定する事により、従来の中継局で行っていた、周波数とスロットの干渉を防ぐ制御を行う必要がなく、マスタ局側無線装置１０１、スレーブ局側無線装置１０２とも別個の無線装置として、互いの周波数の干渉を気にせずに動作可能となる。
【００２５】
以上のように中継局無線装置として、前段のマスタ局、後段のスレーブ局の複数無線装置構成とする事により、前段、後段のスロット構成の干渉が無く、自由なスロット構成が可能となり、あたかも別々の無線装置として動作する事が出来る。また無線装置として別々のものであるので、呼制御等の制御もそれぞれ独立して動作可能となる。
【００２６】
実施の形態２．
図４は、実施の形態２における中継局無線装置のスレーブ局の複数並列接続例を示す図である。
図４において、中継局無線装置４００（中継装置の一例である）は、マスタ局側無線装置４０１、スレーブ＃０局側無線装置４０２、スレーブ＃１局側無線装置４０３を備えている。スレーブ＃１局側無線装置４０３は、マスタ局側無線装置４０１に対し、スレーブ＃０局側無線装置４０２と並列に接続されたスレーブ＃１局側の無線装置である。
マスタ局側無線装置４０１は、中継Ｉ／Ｆ部４１３、切り換えスイッチ２１４、受信機２１５（受信部の一例である）、送信機２１６（送信部の一例である）、変復調部２１７、制御部２１８、アンテナ２１９を有している。切り換えスイッチ２１４、受信機２１５（受信部の一例である）、送信機２１６（送信部の一例である）、変復調部２１７、制御部２１８、アンテナ２１９は、実施の形態１と同様である。
同様に、スレーブ＃０局側無線装置４０２は、中継Ｉ／Ｆ部２２３、切り換えスイッチ２２４、受信機２２５（受信部の一例である）、送信機２２６（送信部の一例である）、変復調部２２７、制御部２２８、アンテナ２２９を有している。中継Ｉ／Ｆ部２２３、切り換えスイッチ２２４、受信機２２５（受信部の一例である）、送信機２２６（送信部の一例である）、変復調部２２７、制御部２２８、アンテナ２２９は、実施の形態１と同様である。
スレーブ＃１局側無線装置４０３は、中継Ｉ／Ｆ部２３３、切り換えスイッチ２３４、受信機２３５（受信部の一例である）、送信機２３６（送信部の一例である）、変復調部２３７、制御部２３８、アンテナ２３９を有している。
中継Ｉ／Ｆ部２１３と中継Ｉ／Ｆ部２２３、中継Ｉ／Ｆ部２１３と中継Ｉ／Ｆ部２３３は、本中継局無線装置のマスタ局／スレーブ局を接続するインターフェースを実現している。
【００２７】
中継装置の一例である中継局無線装置４００は、移動体通信装置と基地局装置とを中継する。
複数の第１の無線通信部の一例であるスレーブ＃０局側無線装置４０２とスレーブ＃１局側無線装置４０３とは、それぞれ移動体通信装置との間で所定のデータを無線通信する。
第２の無線通信部の一例であるマスタ局側無線装置４０１は、上記複数の第１の無線通信部の各第１の無線通信部の一例であるスレーブ＃０局側無線装置４０２（或いはスレーブ＃１局側無線装置４０３）により無線通信された所定のデータを入力し、入力された所定のデータを基地局装置との間で、上記複数の第１の無線通信部の各第１の無線通信部の一例であるスレーブ＃０局側無線装置４０２（或いはスレーブ＃１局側無線装置４０３）とは独立して無線通信する。
上記複数の第１の無線通信部の一例であるスレーブ＃０局側無線装置４０２とスレーブ＃１局側無線装置４０３とは、並列に配置されている。
上記マスタ局側無線装置４０１は、上記並列に配置された複数の第１の無線通信部の各第１の無線通信部の一例であるスレーブ＃０局側無線装置４０２（或いはスレーブ＃１局側無線装置４０３）から所定のデータを入力する。
【００２８】
制御部２３８は、上記マスタ局側無線装置４０１、スレーブ＃１局側無線装置４０３の内、相手側の無線通信部とは別の呼制御をおこなう。制御部２３８は、それぞれ、タイミング制御、無線機制御をおこなう。
受信部の一例として、受信機２３５は、無線通信する所定のデータを受信する。
送信部の一例として、送信機２３６は、無線通信する所定のデータを送信する。
変復調部２３７は、上記受信機２３５により受信された所定のデータを復調し、上記送信機２３６により送信されるための所定のデータを変調する。変復調部２３７は、上記受信機２３５により受信された所定のデータを復調し、上記送信機２３６により送信されるための所定のデータを変調する。
インターフェース部の一例として、中継Ｉ／Ｆ部２３３は、上記変復調部２３７により復調された所定のデータを入力し、入力された所定のデータを相手側の無線通信部となるマスタ局側無線装置４０１とインターフェースを取りながら相手側の無線通信部となるマスタ局側無線装置４０１に出力し、上記相手側の無線通信部となるマスタ局側無線装置４０１から相手側の変復調部２１７により変調された所定のデータを上記相手側の無線通信部となるマスタ局側無線装置４０１とインターフェースを取りながら入力し、入力された所定のデータを自己の上記変復調部２３７に出力する。
【００２９】
本実施の形態は、複数局に構成する中継局において、基地局側無線機であるマスタ局に対し、中継する側のスレーブ局を複数局、マスタ局に対し並列に接続する構成とした。そして、前述の複数スレーブ局を並列にマスタ局に接続した中継局装置において、それぞれ接続されたスレーブ局からの上り信号が発生した場合の制御として、中継局マスタ局側で、呼制御を行い、マスタ局に接続される上位無線装置から見て、マスタ局は、あたかも当該複数のスレーブ局が接続された無線装置ではなく、単一の無線装置であるように振舞う事を特徴とする。
マスタ局、スレーブ局それぞれが独自に無線装置として動作可能である為、スレーブ局側を並列に接続する事が可能である。従来の中継局の１：１中継ではなく、１：Ｎの中継が可能となる。
すなわち、中継局無線装置として、前段のマスタ局、後段のスレーブ局の複数無線装置構成とする事により、前段、後段のスロット構成の干渉が無く、自由なスロット構成が可能となり、あたかも別々の無線装置として動作する事が出来る。また無線装置として別々のものであるので、呼制御等の制御もそれぞれ独立して動作可能となる。これにより、スレーブ局側を複数並列に接続する事が可能となり、別々のエリアの中継動作を、単一中継局無線装置で実現する事ができる。
【００３０】
実施の形態３．
図５は、実施の形態３における中継局無線装置のマスタ局側従属同期とスレーブ局での同期とを切離した構成を示す図である。
図５において、中継局無線装置５００（中継装置の一例である）は、マスタ局側無線装置５１０、スレーブ局側無線装置５２０を備えている。
マスタ局側無線装置５１０は、発振器５０３、中継Ｉ／Ｆ部２１３、切り換えスイッチ２１４、受信機２１５（受信部の一例である）、送信機２１６（送信部の一例である）、変復調部２１７、制御部２１８、アンテナ２１９を有している。中継Ｉ／Ｆ部２１３、切り換えスイッチ２１４、受信機２１５（受信部の一例である）、送信機２１６（送信部の一例である）、変復調部２１７、制御部２１８、アンテナ２１９は、実施の形態１と同様である。
スレーブ局側無線装置５２０は、発振器５０４、中継Ｉ／Ｆ部２２３、切り換えスイッチ２２４、受信機２２５（受信部の一例である）、送信機２２６（送信部の一例である）、変復調部２２７、制御部２２８、アンテナ２２９を有している。中継Ｉ／Ｆ部２２３、切り換えスイッチ２２４、受信機２２５（受信部の一例である）、送信機２２６（送信部の一例である）、変復調部２２７、制御部２２８、アンテナ２２９は、実施の形態１と同様である。
発振器５０３は、マスタ局側無線装置５１０の基準クロックを生成し、制御部２１８に出力する。
発振器５０４は、スレーブ局側無線装置５２０の基準クロックを生成し、制御部２２８に出力する。
上記ＴＤＭＡ／ＴＤＤ方式は、スロット割り当てをおこなうことにより通信をおこなう。そして、上記第２の無線通信部の一例としてのマスタ局側無線装置５１０は、マスタ局側無線区間インターフェーススロット５０１を用いて無線通信する。上記第１の無線通信部の一例としてのスレーブ局側無線装置５２０は、マスタ局側無線装置５１０とは独立して割り当てられたスレーブ局側無線区間インターフェーススロット５０２を用いて上記移動体通信装置との間で所定のデータを無線通信する。
【００３１】
本実施の形態は、従属同期システムで構成される無線装置において、中継局の基地局側を、従属同期構成としながら、中継されるスレーブ局を、新たに同期を取る基準局とし、当該中継局に無線にて接続される無線装置を、当該中継局に従属同期する構成とした。
従来は、中継局は、従属同期として動作しており、末端の端末まで従属同期される。本実施の形態により、マスタ局側は、通常の従属同期で動作するが、マスタ局とスレーブ局とのインターフェース部である中継Ｉ／Ｆ部２１３，２２３で信号のやりとりが行われる。そして、マスタ局／スレーブ局が別の無線装置として動作可能な為、スレーブ局側は、あたかもスレーブ局側無線装置５２０が、自身が基準となる基地局のように動作可能となる。よってスレーブ局後段の無線装置、例えば、移動体通信装置やＰＨＳ（登録商標）は、スレーブ局側無線装置５２０が基点となる従属同期を行う為、従来の中継局段数分、従属同期する必要がなくなる。
【００３２】
【発明の効果】
本発明によれば、マスタ局側とスレーブ局側とがそれぞれが独自に動作する事が可能となり、中継局無線装置として簡易な制御を可能とすることができる。
【図面の簡単な説明】
【図１】実施の形態１における中継局無線装置の構成例を示す図である。
【図２】実施の形態１における中継局無線装置の内部構成例を示す図である。
【図３】実施の形態１における中継局無線装置の無線周波数配置例を示す図である。
【図４】実施の形態２における中継局無線装置のスレーブ局の複数並列接続例を示す図である。
【図５】実施の形態３における中継局無線装置のマスタ局側従属同期とスレーブ局での同期とを切離した構成を示す図である。
【符号の説明】
１００  中継局無線装置、１０１  マスタ局側無線装置、１０２  スレーブ局側無線装置、２１３  中継Ｉ／Ｆ部、２１４  切り換えスイッチ、２１５  受信機、２１６  送信機、２１７  変復調部、２１８  制御部、２１９  アンテナ、２２３  中継Ｉ／Ｆ部、２２４  切り換えスイッチ、２２５  受信機、２２６  送信機、２２７  変復調部、２２８  制御部、２２９  アンテナ、２３３  中継Ｉ／Ｆ部、２３４  切り換えスイッチ、２３５  受信機、２３６  送信機、２３７  変復調部、２３８  制御部、２３９  アンテナ、３０１  マスタ局側無線周波数、３０２  スレーブ局側無線周波数、４００  中継局無線装置、４０１  マスタ局側無線装置、４０２  スレーブ＃０局側無線装置、４０３  スレーブ＃１局側無線装置、４１３  中継Ｉ／Ｆ部、５００  中継局無線装置、５０１  マスタ局側無線区間インターフェーススロット、５０２  スレーブ局側無線区間インターフェーススロット、５０３  発振器、５０４  発振器、５１０  マスタ局側無線装置、５２０  スレーブ局側無線装置。
【図１】
2004229242.tif 000003
【図２】
2004229242.tif 000004
【図３】
2004229242.tif 000005
【図４】
2004229242.tif 000006
【図５】
2004229242.tif 000007